(57)【要約】【課題】照明灯が確実に保持される間接活線用照明装置の取付け具を提供する。【解決手段】取付け具１０は、ホットスティック９の先端部に設けた工具を照明できる。取付け具１０は、Ｃ形クリップ１とバンド部材２を備える。Ｃ形クリップ１は、円柱状の照明灯３を外周方向から挿入可能な開口１１を有し、照明灯３を弾性的に保持できる。バンド部材２は、ホットスティック９を構成する少なくとも操作棒９１を把持できる。Ｃ形クリップ１は、外周方向に突出する短い第１アーム１ａを有し、バンド部材２は、外周方向に突出する短い第２アーム２ａを有する。第１アーム１ａは、球状部１ｂを先端部に有し、第２アーム２ａは、球状部１ｂを揺動自在に保持する保持室２ｂを有する。Ｃ形クリップ１をバンド部材２に近づけた状態では、開口１１をバンド部材２により遮られる位置に配置できる。【選択図】図１
2013051792.tif 000002
【特許請求の範囲】
【請求項１】
ホットスティックの先端部に設けた工具を照明する間接活線用照明装置の取付け具であって、
円柱状の照明灯を外周方向から挿入可能な開口を有し、前記照明灯を弾性的に保持するＣ形クリップと、
前記ホットスティックを構成する少なくとも操作棒を把持するバンド部材と、を備え、
前記Ｃ形クリップは、外周方向に突出する短い第１アームを有し、
前記バンド部材は、外周方向に突出する短い第２アームを有し、
前記第１アーム及び前記第２アームは、一方が球状部を先端部に有し、他方が前記球状部を揺動自在に保持する保持室を有し、
前記Ｃ形クリップを前記バンド部材に近づけた状態では、前記開口を前記バンド部材により遮られる位置に配置できる間接活線用照明装置の取付け具。
【請求項２】
前記保持室は、前記第２アームが延びる方向の端部が開口されて前記球状部が圧入される請求項１記載の間接活線用照明装置の取付け具。
【請求項３】
前記Ｃ形クリップは、前記第１アーム及び前記球状部を一体成形している請求項１又は２記載の間接活線用照明装置の取付け具。
【請求項４】
前記Ｃ形クリップは、硬質の合成樹脂からなる請求項３記載の間接活線用照明装置の取付け具。
【請求項５】
前記バンド部材は、
前記操作棒の外周を囲う円弧状のバンド部材本体と、
このバンド部材本体の両端部が屈曲されて、対向するように外周方向に突出する一対の挟持片と、を有し、
前記バンド部材本体が縮径するように、ボルト部材とナットで一対の前記挟持片を締結できる請求項１から４のいずれかに記載の間接活線用照明装置の取付け具。
【発明の詳細な説明】
【技術分野】
【０００１】
本発明は、間接活線用照明装置の取付け具に関する。特に、間接活線工法による夜間の配電工事に好適な間接活線用照明装置の取付け具の構造に関する。
【背景技術】
【０００２】
架空配電線を無停電で配電工事を行う活線作業には、直接活線工法と間接活線工法の二通りがある。直接活線工法は、高圧ゴム手袋などの保護具を着用した作業者が、通電中の架空配電線に直接触れて配電工事を行う。一方、間接活線工法は、ホットスティック（絶縁操作棒）などを用いて、作業者が通電中の架空配電線に直接触れることなく配電工事を行うことができる。近年では、作業環境の改善・本質安全化の観点から、直接活線工法から間接活線工法へと転換が進行している。
【０００３】
ホットスティックは、先端部に配電工事を行う工具を備えており、この工具を手許の操作部で遠隔操作できる。配電工事を行う作業者は、ホットスティックを用いて、架空配電線を切断、又は接続する作業ができる。
【０００４】
例えば、停電事故の復旧工事などにおいて、上述した間接活線工法による配電工事が夜間に行われることがある。そして、この夜間工事では、地上からの照明やキャップライト又は照明具を電柱に固定するなどして、作業を実施している。
【０００５】
しかし、前述した照明では、作業者又は工具が影となって、作業箇所を見え難くしている。特に、ホットスティックを用いる場合は、工具の詳細が不明瞭であり、細かい配電工事を困難としているという不具合がある。
【０００６】
このような不具合に対して、既存のホットスティックに着脱自在であり、夜間工事時の視界を改善することを実現した間接活線用照明装置が開示されている（例えば、特許文献１参照）。
【０００７】
特許文献１による間接活線用照明装置は、光を出射するライト、ホットスティックの一部に着脱自在に固定するクリップ、及びライトを一端部に固定し、クリップを他端部に固定したフレキシブルシャフトを備え、ライトが工具に近接するように、クリップをホットスティックの上部に固定することが好ましいとしている。
【０００８】
又、ホットスティックを構成するパイプ部材などに取り付け可能な作業用照明装置の取付け具としては、照明灯をねじ止めした連結棒と、パイプ部材を把持するクリップ部材と、照明灯が首振り自在になるように、連結棒とクリップ部材とを連結するジョイントと、を備えた作業用照明装置の取付け具が開示されている（例えば、特許文献２の実施例４参照）。
【先行技術文献】
【特許文献】
【０００９】
【特許文献１】特開２０１１−７６７５６号公報
【特許文献１】特開２００７−１３４１７５号公報
【発明の概要】
【発明が解決しようとする課題】
【００１０】
しかしながら、特許文献１による間接活線用照明装置は、クリップからライトまでの距離が長く、移動中にフレキシブルシャフトが変形して、ライトの光軸がずれ易いという心配がある。ライトが確実に保持される間接活線用照明装置が求められている。
【００１１】
又、特許文献２による作業用照明装置の取付け具は、少なくともパイプ部材が延びる方向を照明することが困難である。ホットスティックを構成するパイプ部材が延びる方向を照明する間接活線用照明装置の取付け具が求められている。そして、以上のことが本発明の課題といってよい。
【００１２】
本発明は、このような課題に鑑みてなされたものであり、ホットスティックを構成するパイプ部材が延びる方向にある工具を照明する間接活線用照明装置において、照明灯が確実に保持される取付け具を提供することを目的とする。
【課題を解決するための手段】
【００１３】
本発明者は、ホットスティックの先端部に設けた工具を照明する間接活線用照明装置の取付け具であって、ホットスティックを構成する少なくとも操作棒を把持するバンド部材と、円柱状の照明灯を外周方向から挿入可能な開口を有するクリップと、を備え、このクリップとバンド部材は、互いに短いアームを突出して、これらのアームをその軸方向の交差角度が変化可能な自在継手で連結するように間接活線用照明装置の取付け具を構成することにより、この課題が解決できると考え、これに基づいて、以下のような新たな間接活線用照明装置の取付け具を発明するに至った。
【００１４】
（１）本発明による間接活線用照明装置の取付け具は、ホットスティックの先端部に設けた工具を照明する間接活線用照明装置の取付け具であって、円柱状の照明灯を外周方向から挿入可能な開口を有し、前記照明灯を弾性的に保持するＣ形クリップと、前記ホットスティックを構成する少なくとも操作棒を把持するバンド部材と、を備え、前記Ｃ形クリップは、外周方向に突出する短い第１アームを有し、前記バンド部材は、外周方向に突出する短い第２アームを有し、前記第１アーム及び前記第２アームは、一方が球状部を先端部に有し、他方が前記球状部を揺動自在に保持する保持室を有し、前記Ｃ形クリップを前記バンド部材に近づけた状態では、前記開口を前記バンド部材により覆われる位置に配置できる。
【００１５】
（２）前記保持室は、前記第２アームが延びる方向の端部が開口されて前記球状部が圧入されてもよい。
【００１６】
（３）前記Ｃ形クリップは、前記第１アーム及び前記球状部を一体成形してもよい。
【００１７】
（４）前記Ｃ形クリップは、硬質の合成樹脂からなってもよい。
【００１８】
（５）前記バンド部材は、前記操作棒の外周を囲う円弧状のバンド部材本体と、このバンド部材本体の両端部が屈曲されて、対向するように外周方向に突出する一対の挟持片と、を有し、前記バンド部材本体が縮径するように、ボルト部材とナットで一対の前記挟持片を締結できることが好ましい。
【発明の効果】
【００１９】
本発明による間接活線用照明装置の取付け具は、照明灯を弾性的に保持するＣ形クリップとホットスティックを把持するバンド部材を備え、Ｃ形クリップとバンド部材とが短い第１アーム及び第２アームで揺動自在に連結しているので、ホットスティックを移動しても照明灯の光軸が容易に変化しないという利点がある。
【００２０】
又、本発明による間接活線用照明装置の取付け具は、Ｃ形クリップが照明灯を外周方向から挿入可能な開口を有し、Ｃ形クリップを揺動して、この開口をバンド部材に近づけた状態では、開口がホットスティックに遮られて、照明灯が脱落し難いという利点がある。
【図面の簡単な説明】
【００２１】
【図１】本発明の一実施形態による間接活線用照明装置の取付け具の構成を示す斜視図である。
【図２】前記実施形態による間接活線用照明装置の取付け具の構成を示す平面図である。
【図３】前記実施形態による間接活線用照明装置の取付け具の構成を示す正面図である。
【図４】前記実施形態による間接活線用照明装置の取付け具の使用状態を示す正面図である。
【図５】前記実施形態による間接活線用照明装置の取付け具を用いたホットスティックの操作例を示す斜視図である。
【発明を実施するための形態】
【００２２】
以下、図面を参照して本発明を実施するための形態を説明する。
［間接活線用照明装置の取付け具の構成］
最初に、本発明の一実施形態による間接活線用照明装置の取付け具の構成を説明する。
【００２３】
図１は、本発明の一実施形態による間接活線用照明装置の取付け具の構成を示す斜視図である。図２は、前記実施形態による間接活線用照明装置の取付け具の構成を示す平面図である。図３は、前記実施形態による間接活線用照明装置の取付け具の構成を示す正面図である。図４は、前記実施形態による間接活線用照明装置の取付け具の使用状態を示す正面図である。
【００２４】
（全体構成）
図１から図４を参照すると、本発明の一実施形態による間接活線用照明装置の取付け具（以下、取付け具と略称する）１０は、Ｃ形クリップ１とバンド部材２を備えている。Ｃ形クリップ１は、円柱状の照明灯３を外周方向から挿入可能な開口１１を有し、照明灯３を弾性的に保持できる。一方、バンド部材２は、ホットスティック９を構成する少なくとも操作棒９１を把持できる（図４参照）。
【００２５】
図１から図３を参照すると、Ｃ形クリップ１は、外周方向に突出する短い第１アーム１ａを有している。同様に、バンド部材２は、外周方向に突出する短い第２アーム２ａを有している。そして、第１アーム１ａは、球状部１ｂを先端部に有している。一方、第２アーム２ａは、球状部１ｂを揺動自在に保持する保持室２ｂを有している。
【００２６】
なお、取付け具１０は、第２アーム２ａの先端部に球状部１ｂを設け、第１アーム１ａに球状部１ｂを揺動自在に保持する保持室２ｂを設ける構成としてもよい。又、保持室２ｂは、球状部１ｂを揺動自在に保持するとは、第１アーム１ａ及び第２アーム２ａがそれらの軸方向の交差角度が変化可能な自在継手で連結されていることを意味しており、第１アーム１ａ及び第２アーム２ａを任意の交差角度で停止状態を維持できる。
【００２７】
図１から図３を参照すると、保持室２ｂは、第２アーム２ａが延びる方向の端部が開口されており、球状部１ｂを圧入することができる。Ｃ形クリップ１は、例えば、硬質の合成樹脂からなり、第１アーム１ａ及び球状部１ｂを一体成形している。
【００２８】
図１から図３を参照すると、照明灯３は、外周の直径が３ｃｍ程度の市販のＬＥＤライトを用いることができる。照明灯３は、内部に電池を有し、前方を照明できるように、多灯のＬＥＤを備えている。必要に応じて、ＬＥＤの搭載数が異なる照明灯３に交換することが好ましい。
【００２９】
図１から図３を参照すると、バンド部材２は、円弧状のバンド部材本体２１と一対の挟持片２１ａ・２１ｂを有している。バンド部材本体２１は、ホットスティック９の操作棒９１を囲うことができる（図４参照）。一対の挟持片２１ａ・２１ｂは、バンド部材本体２１の両端部が屈曲されて、対向するように外周方向に突出している。
【００３０】
図１から図３を参照すると、挟持片２１ａには、ボスを隆起させており、このボスにナット２ｎを埋め込んである。一方、挟持片２１ｂにも、ボスを隆起させており、このボスに開口された穴に六角穴付きボルト２ｓを挿入して、ナット２ｎに螺合できる。そして、バンド部材本体２１が縮径するように、六角穴付きボルト２ｓとナット２ｎで一対の挟持片２１ａ・２１ｂを締結できる。
【００３１】
（ホットスティックの構成）
次に、実施形態による取付け具１０が適用される、一例のホットスティックの構成を説明する。
【００３２】
図４を参照すると、ホットスティック９は、長尺の操作棒９１と把持工具９２で構成している。又、ホットスティック９は、作動棒９３を備えている。把持工具９２は、操作棒９１の先端部に着脱自在に取り付けられている。
【００３３】
図４を参照すると、把持工具９２は、開閉する一対の湾曲した把持片９ａ・９ｂで構成している。そして、一方の把持片９ａは、基端部が固定された固定片であり、他方の把持片９ｂは、一方の把持片９ａの基端部に設けた回動軸９ｃを中心に回動する可動片となっている。
【００３４】
図４を参照すると、作動棒９３は、操作棒９１に沿って保持されている。作動棒９３の先端部は、他方の把持片９ｂに回動可能に連結している。そして、作動棒９３の基端部に設けた操作レバー９４を操作すると、一方の把持片９ａに対して、他方の把持片９ｂを開閉できる。ホットスティック９は、操作棒９１及び作動棒９３の中間部が絶縁性を有するプラスチックパイプなどで連結され、間接活線工法に好適なように、絶縁性が確保されている。
【００３５】
図４に示されたホットスティック９は、高所に配置された架空配電線９ｗ（図５参照）を一対の把持片９ａ・９ｂで把持できる、いわゆる「ヤットコ」になっている。又、一対の把持片９ａ・９ｂにカッター（切断工具）を取り付けて、架空配電線９ｗを切断することもでき、一対の把持片９ａ・９ｂにストリッパー（被膜剥離工具）を取り付けて、架空配電線９ｗの被覆を剥離することもできる。
【００３６】
図４を参照すると、取付け具１０は、バンド部材２が操作棒９１を把持しており、Ｃ形クリップ１に保持された照明灯３が把持工具９２を照明している。図４に示された実施形態では、可動しない操作棒９１に取付け具１０を固定した好適な例を示したが、可動する作動棒９３に取付け具１０を固定することを排除しない。
【００３７】
［間接活線用照明装置の取付け具の作用］
次に、実施形態による取付け具１０を用いたホットスティックの操作例を説明しながら、取付け具１０の作用及び効果を説明する。図５は、前記実施形態による間接活線用照明装置の取付け具を用いたホットスティックの操作例を示す斜視図である。
【００３８】
図５を参照すると、作業員Ｍは、図示しない高所作業車に装備されたバケットＢに搭乗している。図５に示された状態では、取付け具１０を取り付けたホットスティック９と共、バケットＢを架空配電線９ｗの下の所定位置に移動させてある。
【００３９】
図５を参照して、作業員Ｍは、照明灯３及びキャップライトＣＬを点灯させ、照明灯３の照明方向を調整した後、ホットスティック９を操作して、夜間の間接活線作業を実施する。この場合、キャップライトＣＬによる照明方向とは異なる方向から、照明灯３が把持工具９２を照明するように、照明灯３の照明位置及び照明方向を予め調整しておくことが好ましく、相乗効果により、作業に支障にある影を把持工具９２の近傍に作ることを低減できる。
【００４０】
図１から図５を参照すると、実施形態による取付け具１０は、照明灯３を弾性的に保持するＣ形クリップ１とホットスティック９を把持するバンド部材２を備え、Ｃ形クリップ１とバンド部材２とが短い第１アーム１ａ及び第２アーム２ａで揺動自在に連結しているので、ホットスティック９を移動しても照明灯３の光軸が容易に変化しないという利点がある。
【００４１】
又、図１から図５を参照すると、実施形態による取付け具１０は、Ｃ形クリップ１が照明灯３を外周方向から挿入可能な開口１１を有し、Ｃ形クリップ１を揺動して、開口１１がバンド部材２により遮られる位置に配置できるので（図２の実線部分のＣ形クリップ１を参照）、照明灯３が脱落し難いという利点がある。
【００４２】
本発明による間接活線用照明装置の取付け具は、以下の効果が期待できる。
（１）夜間作業における視界が改善される。
（２）市販の照明灯（いわゆる懐中電灯）を使用できる。
（３）作業対象物を確実に照明できる。
（４）作業中に照明灯が脱落することを抑制できる。
（５）夜間作業を効率化及び迅速化できる。
【００４３】
本発明による間接活線用照明装置の取付け具は、Ｃ形クリップ１を硬質の合成樹脂で構成し、第１アーム１ａ及び球状部１ｂを一体成形した実施形態を開示したが、同様に、バンド部材２を硬質の合成樹脂で一体成形してもよい。Ｃ形クリップ１及びバンド部材２は、金属体で一体成形してもよく、Ｃ形クリップ１は、本体を硬質の合成樹脂で構成し、第１アーム１ａ及び球状部１ｂを金属体で構成し、本体に結合する変形例も考えることができる。
【符号の説明】
【００４４】
１  Ｃ形クリップ
１ａ  第１アーム
１ｂ  球状部
２  バンド部材
２ａ  第２アーム
２ｂ  保持室
３  照明灯
９  ホットスティック
１０  取付け具（間接活線用照明装置の取付け具）
１１  開口
９１  操作棒
【図１】
2013051792.tif 000003
【図２】
2013051792.tif 000004
【図３】
2013051792.tif 000005
【図４】
2013051792.tif 000006
【図５】
2013051792.tif 000007